(57)【要約】【課題】この発明は、構成簡易にして、小形化を確保し得、且つ、簡便にして容易にシステムアップを実現し得るようにすることにある。【解決手段】既存システムを構成する回路ユニット１４が並設収容される第１のユニット筐体１０から、その回路ユニット１４を抜脱して、これに代えて第１のユニット筐体１０内に、そのユニット案内レール１２を利用してシステムアップ用の第２のユニット筐体１５を内挿して、この第２のユニット筐体１５に配したシステムアップマザーボード１８を、第１のユニット筐体１０に配されたマザーボード１３と電気的に接続させて、この第２のユニット筐体１５内にシステムアップ回路ユニット１９を挿着してシステムアップマザーボード１８に電気的に接続することで、システムアップが完了されるように構成したものである。【選択図】図４
2010283149.tif 000002
【特許請求の範囲】
【請求項１】
複数の回路ユニットと、
この複数の回路ユニットが並設されて収容されるものであって、前記回路ユニットの接続端が着脱される複数の接続コネクタが並設されたマザーボードがユニット挿脱口に対向して配置された第１のユニット筐体と、
この第１のユニット筐体に設けられるものであって、前記複数の回路ユニットをそれぞれ前記マザーボードの複数の接続コネクタに挿脱自在に案内する複数のユニット案内レールと、
前記回路ユニットに代えて前記ユニット案内レールに案内自在に挿着されて前記第１のユニット筐体内に収容されるものであって、一方面に前記第１のユニット筐体のマザーボードの接続コネクタに着脱されるシステムアップ処理用接続コネクタが設けられ、他方面に複数の接続コネクタが並設されたシステムアップマザーボードがユニット挿脱口に対向して設けられたシステムアップ用の第２のユニット筐体と、
この第２のユニット筐体内に収容されて前記システムアップマザーボードの複数の接続コネクタに着脱される複数のシステムアップ回路ユニットと、
前記第２のユニット筐体に設けられるものであって、前記システムアップ回路ユニットを前記システムアップマザーボードの接続コネクタにそれぞれ挿脱自在に案内する複数のユニット案内レールと、
を具備することを特徴とする電子機器。
【請求項２】
前記第１のユニット筐体は、ラックに複数段が積重状に配置されることを特徴とする請求項１記載の電子機器。
【請求項３】
前記システムアップ処理用接続コネクタは、少なくとも１個、前記回路ユニットの接続コネクタに対向して設けられることを特徴とする請求項１又は２記載の電子機器。
【請求項４】
前記第２のユニット筐体は、両側壁が前記第１のユニット筐体の複数のユニット案内レールのいずれかに案内自在に挿着されて前記第１のユニット筐体内に挿脱されることを特徴とする請求項１乃至３のいずれか記載の電子機器。
【請求項５】
前記第２のユニット筐体の側壁には、案内突部が前記ユニット筐体の複数のユニット案内レールに着脱自在に設けられていることを特徴とする請求項４記載の電子機器。
【請求項６】
前記回路ユニットは、メタル回線用であり、前記システムアップ回路ユニットは、光回線用であることを特徴とする請求項１乃至５のいずれか記載の電子機器。
【発明の詳細な説明】
【技術分野】
【０００１】
この発明は、例えば通信ネットワークシステムに用いられる通信機器等の電子機器に関する。
【背景技術】
【０００２】
最近、通信ネットワークシステムにおいては、通信網の光ファイバー化など次世代の高速信号通信ネットワークの構築が進められている。このような高速信号通信ネットワークシステムを構築する場合、既存の設備を撤去して新たに高速信号通信用設備を設置する必要があり、その構築に多大な費用と多くの時間を要する。
【０００３】
そこで、このような高速信号通信ネットワークにあっては、いわゆる既存のメタル回線システム等のシステムに用いられている電子機器を利用して、既存のシステムを停止させることなく、活線状態に維持して通信断を起こすことなく、光回線システム等のシステムアップを行う方法が考えられている。
【０００４】
ところで、このような電子機器のシステムアップを実行する技術としては、既存システムを構成する基本筐体部とは、別体にマザーボードを内装した増設筐体部を設けて、この増設筐体部の増設用マザーボードと基本筐体部に設けたマザーボードとを電気的に接続するようにした構成のものが知られている（例えば、特許文献１参照。）。
【先行技術文献】
【特許文献】
【０００５】
【特許文献１】実開昭６２−１０３３４６号公報
【発明の概要】
【発明が解決しようとする課題】
【０００６】
しかしながら、上記特許文献１に開示されるシステムアップ技術では、増設筐体部を、基本筐体部と別体に増設して相互間を電気的に接続する構成上、基本筐体部及び増設筐体部の双方を設置するスペースが必要となることで、システムが大形となるという問題を有する。
【０００７】
この発明は、上記の事情に鑑みてなされたもので、構成簡易にして、小形化を確保し得、且つ、簡便にして容易にシステムアップを実現し得るようにした電子機器を提供することを目的とする。
【課題を解決するための手段】
【０００８】
この発明は、複数の回路ユニットと、この複数の回路ユニットが並設されて収容されるものであって、前記回路ユニットの接続端が着脱される複数の接続コネクタが並設されたマザーボードがユニット挿脱口に対向して配置された第１のユニット筐体と、この第１のユニット筐体に設けられるものであって、前記複数の回路ユニットをそれぞれ前記マザーボードの複数の接続コネクタに挿脱自在に案内する複数のユニット案内レールと、前記回路ユニットに代えて前記ユニット案内レールに案内自在に挿着されて前記第１のユニット筐体内に収容されるものであって、一方面に前記第１のユニット筐体のマザーボードの接続コネクタに着脱されるシステムアップ処理用接続コネクタが設けられ、他方面に複数の接続コネクタが並設されたシステムアップマザーボードがユニット挿脱口に対向して設けられたシステムアップ用の第２のユニット筐体と、この第２のユニット筐体内に収容されて前記システムアップマザーボードの複数の接続コネクタに着脱される複数のシステムアップ回路ユニットと、前記第２のユニット筐体に設けられるものであって、前記システムアップ回路ユニットを前記システムアップマザーボードの接続コネクタにそれぞれ挿脱自在に案内する複数のユニット案内レールとを備えて電子機器を構成した。
【０００９】
上記構成によれば、回路ユニットを第１のユニット筐体のマザーボードの接続コネクタから離脱させて、該第１のユニット筐体から抜脱し、代わりに第２のユニット筐体を第１のユニット筐体内に挿着して、そのシステムアップマザーボードのシステムアップ処理用接続コネクタをマザーボードの接続コネクタに接続すると共に、システムアップ回路ユニットを挿入してシステムアップマザーボードの接続コネクタに接続することにより、システムアップが完了される。
【００１０】
これにより、既存システムの構成部品の有効利用が実現されて小形化が確保されると共に、既存システムの活動状態を維持した状態で、システムアップを簡便にして容易に実行することが可能となる。
【発明の効果】
【００１１】
以上述べたように、この発明によれば、構成簡易にして、小形化を確保し得、且つ、簡便にして容易にシステムアップを実現し得るようにした電子機器を提供することができる。
【図面の簡単な説明】
【００１２】
【図１】この発明の一実施の形態に係る電子機器の要部の既存システム構築状態を示した平面図である。
【図２】図１の第１のユニット筐体を取出して示した斜視図である。
【図３】図２を側面側から見た状態を示した平面図である。
【図４】図１のシステムアップ途中を示した分解斜視図である。
【図５】図２の第２のユニット筐体を取出して前面側から見た状態を示した平面図である。
【図６】図５を側面側から見た状態を示した平面図である。
【図７】第２のユニット筐体を第１の筐体に挿着する状態を模式に示した平面図である。
【図８】第１のユニット筐体に第２のユニット筐体を挿着して、この第２のユニット筐体にシステムアップ回路ユニットを挿着してシステムアップした状態を示した平面図である。
【発明を実施するための形態】
【００１３】
以下、この発明の実施の形態について、図面を参照して詳細に説明する。
【００１４】
図１は、この発明の一実施の形態に係る電子機器を示すもので、既存システムを構成する第１のユニット筐体１０は、枠状に形成されて、例えばラック１１内に複数段（図１中では、３段のみ図示）が積重状に設置される。
【００１５】
この第１のユニット筐体１０には、図２に示すように上下内面に複数対のユニット案内レール１２が、ユニット挿脱口となる前面側から背面側方向に延設されて所定の間隔に並設されている。そして、この第１のユニット筐体１０の背面側には、図示しない外部機器に接続されるマザーボード１３（図３参照）が閉塞配置され、その前面側からの回路ユニット１４及び後述するシステムアップ用の第２のユニット筐体１５（図４参照）のマザーボード１３への着脱が可能に構成されている。このマザーボード１３には、その前面側の一方の面に複数の接続コネクタ１３１が上記ユニット案内レール１２に対応して所定の間隔に並設配置されている。
【００１６】
これにより、第１のユニット筐体１０には、その前面側より既存システム用の複数の回路ユニット１４が一対のユニット案内レール１２間にそれぞれ架設する如く挿入されて並設収容され、その図示しない接続部が上記マザーボード１３の接続コネクタ１３１にそれぞれ電気的に接続されて所望のシステムが構築される。これら回路ユニット１４には、その基端にイジェクト操作部１４１が上記一対のユニット案内レール１２に対応してそれぞれ設けられている。
【００１７】
このイジェクト操作部１４１は、回路ユニット１４が第１のユニット筐体１０の収容位置に挿入された状態で、ユニット案内レール１２の基端に係止されて回路ユニット１４を第１のユニット筐体１０内に位置決めする。そして、この位置決めされた回路ユニット１４は、イジェクト操作部１４１が解除操作されると、第１のユニット筐体１０のユニット案内レール１２に対して反転移動可能となり、該第１のユニット筐体１２から抜脱することができる。
【００１８】
また、上記第１のユニット筐体１０には、上記既存システム用の回路ユニット１４に代えて図４に示すようにシステムアップ用の第２のユニット筐体１５が、例えば２個、並列状に挿着されて螺子部材１６（図５参照）を用いて位置決めされて収容配置される。この第２のユニット筐体１５は、図５及び図６に示すように枠状に形成され、その上下内面に一対のユニット案内レール１７が、前面側から背面方向に複数本、所定の間隔に並設されて形成されている。
【００１９】
上記第２のユニット筐体１５には、その両側壁の上下両端に案内突部１５１が上記第１のユニット筐体１０の一対のユニット案内レール１２に対応して設けられる。この案内突部１５１は、図７に示すように上記第１のユニット筐体１０の複数対のユニット案内レール１２のうちの所定の一対に挿脱自在に挿入され、第２のユニット筐体１５を第１のユニット筐体１０内に挿脱自在に案内する。この第２のユニット筐体１５は、少なくとも側壁の案内突部１５１を、金属材料に滑り特性を高める処理を施したり、あるいは樹脂材料で形成すると、第１のユニット筐体１０への容易な挿脱が可能となり良好な効果が期待される。
【００２０】
この第２のユニット筐体１５は、その背面側にシステムアップマザーボード１８が閉塞配置され、その前面側がユニット挿脱自在に開口されている。このシステムアップマザーボード１８には、その背面側に少なくとも１個、例えば２個のシステムアップ処理用の接続コネクタ１８１が上記マザーボード１３の接続コネクタ１３１に対応して並設されて配置され（図５及び図６参照）、その前面側に複数の接続コネクタ１８２が上記ユニット案内レール１７に対応して所定の間隔を有して並設されて配置されている。
【００２１】
ここで、上記システムアップ処理用の接続コネクタ１８１は、第１のユニット筐体１０のマザーボード１３の複数の接続コネクタ１３１の全てと挿脱するようにした場合、第２のユニット筐体１５を第１のユニット筐体１０内に挿着する際、その接続が困難となるため、できるだけ少ない数で電気的接続を可能に構成している。この結果、システムアップ作業を容易に行うことができ、その作業時間の短縮化を図ることができる。
【００２２】
そして、第２のユニット筐体１５は、上述したように第１のユニット筐体１０のユニット案内レール１２を利用して該第１のユニット筐体１０内に挿着していることで、そのシステムアップ処理用の接続コネクタ１８１と第１のユニット筐体１０のマザーボード１３の接続コネクタ１３１との高精度な位置決めが実現されて、信頼性の高い高品質な組付けることが可能となる。
【００２３】
また、上記第２のユニット筐体１５には、その前面側より複数のシステムアップ回路ユニット１９が一対のユニット案内レール１７にそれぞれ架設する如く挿入されて並設収容され、各接続コネクタ１９１がシステムアップマザーボード１８の接続コネクタ１８２にそれぞれ電気的に接続される（図５及び図６参照）。これらシステムアップ回路ユニット１９には、その基端にイジェクト操作部１９２が上記ユニット案内レール１７に対応してそれぞれ設けられている。
【００２４】
このイジェクト操作部１９２は、システムアップ回路ユニット１９が第２のユニット筐体１５の収容位置に挿入された状態で、そのユニット案内レール１７の基端を係止してシステムアップ回路ユニット１９を第２のユニット筐体１５内に位置決めする。そして、この位置決めされたシステムアップ回路ユニット１９は、そのイジェクト操作部１９２が解除操作されると、第２のユニット筐体１５のユニット案内レール１７に対して反転移動可能となり、該第２のユニット筐体１５から抜脱することができる。
【００２５】
上記構成において、既存のシステムの構築時、第１のユニット筐体１０には、その一対のユニット案内レール１２を利用して複数の回路ユニット１４が挿着されて、図１に示すように並設収容される。そして、システムアップを図る場合には、第１のユニット筐体１０に挿着された複数の回路ユニット１４を、そのイジェクト操作部１４１を解除操作して、抜脱可能に設定した後、ユニット案内レール１２を反転移動させて、第１のユニット筐体１０から抜脱させる。
【００２６】
次に、第１のユニット筐体１０には、第２のユニット筐体１５が、その案内突部１５１を複数対のユニット案内レール１２のうちの所望のレールに挿入して該ユニット案内レール１２に沿って所定の位置まで押込み挿着する。この際、第２のユニット筐体１５のシステムアップマザーボード１８のシステムアップ処理用接続コネクタ１８１を、活線状態が維持されたマザーボード１３の接続コネクタ１３１に接続させる。
【００２７】
ここで、システムアップマザーボード１８は、マザーボード１３との間におけるシステムアップ処理が完了される。この状態で、第２のユニット筐体１５は、その前面側周縁部が螺子部材１６を用いて第１のユニット筐体１０の周縁部に螺着されて第１のユニット筐体１０内に位置決め固定される。
【００２８】
そして、この第２のユニット筐体１５には、その複数対のユニット案内レール１７を利用して複数のシステムアップ回路ユニット１９が挿着されて並設収容される（図８参照）。ここで、システムアップ回路ユニット１９は、その基端のイジェクト操作部１９２がユニット案内レール１７の基端を係止して第２のユニット筐体１５内に位置決めされ、システムアップが完了される。
【００２９】
このように、上記電子機器は、既存システムを構成する回路ユニット１４が並設収容される第１のユニット筐体１０から、その回路ユニット１４を抜脱して、これに代えて第１のユニット筐体１０内に、そのユニット案内レール１２を利用してシステムアップ用の第２のユニット筐体１５を内挿して、この第２のユニット筐体１５に配したシステムアップマザーボード１８を、第１のユニット筐体１０に配されたマザーボード１３と電気的に接続させて、この第２のユニット筐体１５内にシステムアップ回路ユニット１９を挿着してシステムアップマザーボード１８に電気的に接続することで、システムアップが完了されるように構成した。
【００３０】
これによれば、既存システムの構成部品である第１のユニット筐体１０を用いてシステムアップを実現していることにより、小形化を確保することができ、しかも、既存システムを電源断させたりすることなく、簡単な作業で、円滑にして容易にシステムアップを実現することができる。
【００３１】
なお、上記実施の形態では、第２のユニット筐体１５の側壁に案内突部１５１を設けて、この案内突部１５１を第１のユニット筐体１０のユニット案内レール１２に挿脱自在に挿入して挿脱自在に構成した場合について説明したが、これに限ることなく、その他、第２のユニット筐体１５の側壁を直接的にユニット案内レール１２に挿入して挿脱自在に構成することも可能である。
【００３２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３４】
１０…機器筐体、１１…ラック、１２…ユニット案内レール、１３…マザーボード、１３１…接続コネクタ、１４…回路ユニット、１４１…イジェクト操作部、１５…第２のユニット筐体、１５１…案内突部、１６…螺子部材、１７…ユニット案内レール、１８…システムアップマザーボード、１８１…接続コネクタ、１８２…接続コネクタ、１９…システムアップ回路ユニット、１９１…接続コネクタ、１９２…イジェクト操作部。
【図１】
2010283149.tif 000003
【図２】
2010283149.tif 000004
【図３】
2010283149.tif 000005
【図４】
2010283149.tif 000006
【図５】
2010283149.tif 000007
【図６】
2010283149.tif 000008
【図７】
2010283149.tif 000009
【図８】
2010283149.tif 000010